【手続補正書】
【提出日】平成24年9月11日(2012.9.11)
【手続補正１】
【補正対象書類名】明細書
【補正対象項目名】００１２
【補正方法】変更
【補正の内容】
【００１２】
前記技術的課題を解決するために、請求項１記載の発明の開閉部材は、
現像剤が通過する通過口を開放する開放位置と、前記通過口を閉塞する閉塞位置との間を移動可能に支持されると共に、前記開放位置から前記閉塞位置に向かう閉塞方向の前端に対して前記通過口の縁側に向けて突出し且つ前記開放位置と前記閉塞位置との間で移動する方向に対して交差する方向の両側に設けられた突出部と、を有し、
前記開放位置から前記閉塞位置に向かう閉塞方向の前端は、前記通過口の縁の表面に対して離間して配置された
ことを特徴とする。
【手続補正２】
【補正対象書類名】明細書
【補正対象項目名】００１３
【補正方法】変更
【補正の内容】
【００１３】
前記技術的課題を解決するために、請求項２記載の発明の現像剤供給装置は、
内部に現像剤が収容される収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材であって、前記開放位置から前記閉塞位置に向かう閉塞方向の前端に対して前記流入口の縁側に向けて突出し且つ前記開放位置と前記閉塞位置との間で移動する方向に対して交差する方向の両側に設けられた突出部と、を有し、前記開放位置から前記閉塞位置に向かう閉塞方向の前端は、前記通過口の縁の表面に対して離間して配置された開閉部材と、
前記流入口から流入した現像剤を搬送する搬送部材と、
を備えたことを特徴とする。
【手続補正３】
【補正対象書類名】明細書
【補正対象項目名】００１４
【補正方法】変更
【補正の内容】
【００１４】
前記技術的課題を解決するために、請求項３記載の発明の現像剤供給装置は、
内部に現像剤が収容される収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材と、
前記流入口の縁に設けられ、前記開放位置から前記閉塞位置に向かう閉塞方向の前端側に向けて突出して形成され且つ前記開放位置と前記閉塞位置との間で移動する方向に対して交差する方向の両側に設けられた突出部と、
前記流入口から流入した現像剤を搬送する搬送部材と、
を備え、
前記開放位置から前記閉塞位置に向かう閉塞方向の前端は、前記通過口の縁の表面に対して離間して配置されたことを特徴とする。
【手続補正４】
【補正対象書類名】明細書
【補正対象項目名】００１６
【補正方法】変更
【補正の内容】
【００１６】
前記技術的課題を解決するために、請求項５記載の発明の画像形成装置は、
像保持体と、
前記像保持体表面の潜像を可視像に現像する現像器と、
前記現像器に補給される現像剤が収容され収容された収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材であって、前記開放位置から前記閉塞位置に向かう閉塞方向の前端に対して前記流入口の縁側に向けて突出し且つ前記開放位置と前記閉塞位置との間で移動する方向に対して交差する方向の両側に設けられた突出部と、を有し、前記開放位置から前記閉塞位置に向かう閉塞方向の前端に形成され且つ前記流入口の縁の表面に対して離間して配置された前記開閉部材と、
前記流入口から流入した現像剤を前記現像器に搬送する搬送部材と、
を備えたことを特徴とする。
【手続補正５】
【補正対象書類名】明細書
【補正対象項目名】００１７
【補正方法】変更
【補正の内容】
【００１７】
前記技術的課題を解決するために、請求項６記載の発明の画像形成装置は、
像保持体と、
前記像保持体表面の潜像を可視像に現像する現像器と、
前記現像器に補給される現像剤が収容され収容された収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材であって、
前記流入口の縁に設けられ、前記開放位置から前記閉塞位置に向かう閉塞方向の前端側に向けて突出して形成され且つ前記開放位置と前記閉塞位置との間で移動する方向に対して交差する方向の両側に設けられた突出部と、
前記流入口から流入した現像剤を前記現像器に搬送する搬送部材と、
を備え、
前記開放位置から前記閉塞位置に向かう閉塞方向の前端に形成され且つ前記流入口の縁の表面に対して離間して配置されたことを特徴とする。
【手続補正６】
【補正対象書類名】明細書
【補正対象項目名】００１８
【補正方法】変更
【補正の内容】
【００１８】
請求項１〜３、５、６に記載の発明によれば、開閉部材の閉塞方向の前端が口の縁の表面から離間して配置されていない構成に比べて、画像形成装置の内外の汚染を低減することができる。
請求項４に記載の発明によれば、落下現像剤収容部に落下した現像剤を収容することができ、落下現像剤収容部が設けられていない構成に比べて、画像形成装置の汚染を低減できる。
【手続補正７】
【補正対象書類名】特許請求の範囲
【補正対象項目名】全文
【補正方法】変更
【補正の内容】
【特許請求の範囲】
【請求項１】
現像剤が通過する通過口を開放する開放位置と、前記通過口を閉塞する閉塞位置との間を移動可能に支持されると共に、前記開放位置から前記閉塞位置に向かう閉塞方向の前端に対して前記通過口の縁側に向けて突出し且つ前記開放位置と前記閉塞位置との間で移動する方向に対して交差する方向の両側に設けられた突出部と、を有し、
前記開放位置から前記閉塞位置に向かう閉塞方向の前端は、前記通過口の縁の表面に対して離間して配置された
ことを特徴とする開閉部材。
【請求項２】
内部に現像剤が収容される収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材であって、前記開放位置から前記閉塞位置に向かう閉塞方向の前端に対して前記流入口の縁側に向けて突出し且つ前記開放位置と前記閉塞位置との間で移動する方向に対して交差する方向の両側に設けられた突出部と、を有し、前記開放位置から前記閉塞位置に向かう閉塞方向の前端は、前記通過口の縁の表面に対して離間して配置された開閉部材と、
前記流入口から流入した現像剤を搬送する搬送部材と、
を備えたことを特徴とする現像剤供給装置。
【請求項３】
内部に現像剤が収容される収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材と、
前記流入口の縁に設けられ、前記開放位置から前記閉塞位置に向かう閉塞方向の前端側に向けて突出して形成され且つ前記開放位置と前記閉塞位置との間で移動する方向に対して交差する方向の両側に設けられた突出部と、
前記流入口から流入した現像剤を搬送する搬送部材と、
を備え、
前記開放位置から前記閉塞位置に向かう閉塞方向の前端は、前記通過口の縁の表面に対して離間して配置されたことを特徴とする現像剤供給装置。
【請求項４】
前記閉塞位置に移動した前記開閉部材の前記閉塞方向の前端のさらに前方に形成され、落下した現像剤を収容可能な落下現像剤収容部、
を備えたことを特徴とする請求項２または３に記載の現像剤供給装置。
【請求項５】
像保持体と、
前記像保持体表面の潜像を可視像に現像する現像器と、
前記現像器に補給される現像剤が収容され収容された収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材であって、前記開放位置から前記閉塞位置に向かう閉塞方向の前端に対して前記流入口の縁側に向けて突出し且つ前記開放位置と前記閉塞位置との間で移動する方向に対して交差する方向の両側に設けられた突出部と、を有し、前記開放位置から前記閉塞位置に向かう閉塞方向の前端に形成され且つ前記流入口の縁の表面に対して離間して配置された前記開閉部材と、
前記流入口から流入した現像剤を前記現像器に搬送する搬送部材と、
を備えたことを特徴とする画像形成装置。
【請求項６】
像保持体と、
前記像保持体表面の潜像を可視像に現像する現像器と、
前記現像器に補給される現像剤が収容され収容された収容部と、前記収容部の現像剤が流出する流出口と、を有する現像剤収容容器と、
前記流出口と接続可能に構成され、前記流出口から流出した現像剤が流入する流入口と、
前記流入口を開放する開放位置と、前記流入口を閉塞する閉塞位置との間を移動可能に支持された開閉部材であって、
前記流入口の縁に設けられ、前記開放位置から前記閉塞位置に向かう閉塞方向の前端側に向けて突出して形成され且つ前記開放位置と前記閉塞位置との間で移動する方向に対して交差する方向の両側に設けられた突出部と、
前記流入口から流入した現像剤を前記現像器に搬送する搬送部材と、
を備え、
前記開放位置から前記閉塞位置に向かう閉塞方向の前端に形成され且つ前記流入口の縁の表面に対して離間して配置されたことを特徴とする画像形成装置。